(57)【特許請求の範囲】
【請求項１】
バッテリハーネス接続用の接点部が外壁体に外壁体の内外に貫通するように設けられたスタータにおいて、接点部がボルトとナットとを備え、バッテリハーネスに設けられた端子がナットでボルトとの間に挟み付けられるように、ナットがボルトに締結され、接点部を回転しないように支持する支持部が外壁体に外壁体より外側に突出するように設けられたことを特徴とするスタータ。
【請求項２】
バッテリハーネス接続用の接点部が外壁体に外壁体の内外に貫通するように設けられたスタータにおいて、接点部を回転しないように支持する支持部が外壁体の内部空間に収納されたセンタプレートに外壁体より外側に突出するように設けられたことを特徴とするスタータ。
【請求項３】
バッテリハーネス接続用の接点部が外壁体に外壁体の内外に貫通するように設けられたスタータにおいて、接点部を回転しないように支持する支持部が外壁体の内部空間に収納されたブラシホルダベースに外壁体より外側に突出するように設けられたことを特徴とするスタータ。
【請求項４】
バッテリハーネス接続用の接点部が外壁体に外壁体の内外に貫通するように設けられたスタータにおいて、接点部を回転しないように支持する支持部が外壁体に外壁体より外側に突出するように設けられた支持部と外壁体の内部空間に収納されたセンタプレートに外壁体より外側に突出するように設けられた支持部との２重壁構造に形成されたことを特徴とするスタータ。
【請求項５】
バッテリハーネス接続用の接点部が外壁体に外壁体の内外に貫通するように設けられたスタータにおいて、ナットがボルトに締結され、接点部を回転しないように支持する支持部が外壁体に外壁体より外側に突出するように設けられた支持部と外壁体の内部空間に収納されたブラシホルダベースに外壁体より外側に突出するように設けられた支持部との２重壁構造に形成されたことを特徴とするスタータ。
【請求項６】
支持部が接点部に係合されたことを特徴とする請求項１〜５の何れか１つに記載のスタータ。
【発明の詳細な説明】
【０００１】
【発明の属する技術分野】
本発明は、エンジンを始動するためのスタータであって、特に、スタータのバッテリハーネス接続用の接点部と外壁体との支持構造に関する。
【０００２】
【従来の技術】
図１２は特開平１０−２６６９３３号公報で開示されたスタータにおける外壁体への接点部の取付構造を示す断面図である。図１２において、１００は１つの外壁体としてのヨーク、１０１はもう１つの外壁体としてのブラケット、１０２はヨーク１００とブラケット１０１との合せ部において外壁体の内外に貫通するように設けられた接点部、１０３は接点部１０２の硬い合成樹脂からなる接点室ケース、１０４は接点部１０２のゴムまたは柔らかい合成樹脂からなる接点室カバー、１０５は接点部１０２の内外に貫通するように接点室ケース１０３の天井に設けられた外部接栓、１０６は外部接栓１０５と接続するように接点部１０２の内部に設けられた固定接点、１０７は接点部１０２の内部に配置された可動接点である。
【０００３】
【発明が解決しようとする課題】
前記従来の接点部１０２は、接点部１０２がヨーク１００およびブラケット１０１からなる外壁体に外壁体の内外に貫通するように設けられた構造であるため、外部接栓１０５に図示しないバッテリハーネスを締結する場合、係る締付力が外部接栓１０５を経由して接点部１０２の接点室ケース１０３や接点室カバー１０４に印加される。そして、バッテリハーネスを外部接栓１０５に強固に接続しようと、ナットが強いトルクで締結されると、接点室ケース１０３および接点室カバー１０４が外壁体の接点部１０２との合せ端面から外壁体の径方向に狭い面によるせん断力を受けて破損するような強度不足が懸念される。
【０００４】
本発明は、前記問題点を解決するために、外壁体に対する接点部の高い支持強を有するスタータを提供することを目的とする。
【０００５】
【課題を解決するための手段】
本発明に係るスタータは、バッテリハーネス接続用の接点部が外壁体に外壁体の内外に貫通するように設けられたスタータにおいて、接点部がボルトとナットとを備え、バッテリハーネスに設けられた端子がナットでボルトとの間に挟み付けられるように、ナットがボルトに締結され、接点部を回転しないように支持する支持部が外壁体に外壁体より外側に突出するように設けられたことを特徴とするか、または、接点部を回転しないように支持する支持部が外壁体の内部空間に収納されたセンタプレートに外壁体より外側に突出するように設けられたことを特徴とするか、または、接点部を回転しないように支持する支持部が外壁体の内部空間に収納されたブラシホルダベースに外壁体より外側に突出するように設けられたことを特徴とするか、または、接点部を回転しないように支持する支持部が外壁体に外壁体より外側に突出するように設けられた支持部と外壁体の内部空間に収納されたセンタプレートに外壁体より外側に突出するように設けられた支持部との２重壁構造に形成されたことを特徴とするか、または、接点部を回転しないように支持する支持部が外壁体に外壁体より外側に突出するように設けられた支持部と外壁体の内部空間に収納されたブラシホルダベースに外壁体より外側に突出するように設けられた支持部との２重壁構造に形成されたことを特徴としている。また、支持部が接点部に係合されてもよい。
【０００６】
【発明の実施の形態】
実施の形態１．
図１〜図３は本発明の実施の形態１を示し、図１はスタータを軸方向に沿い切断した全体断面図、図２は接点部周りの平面図、図３は図２を時計方向に９０度回転して分解した平面図である。
【０００７】
図１において、スタータは、金属製のフロントブラケット１と金属製のセンタブラケット２と鉄系金属製のヨーク３３及び金属製のリアブラケット３などからなる複数の外壁体で密封状に覆われた、ほぼ弾丸状の外観を呈する。ボルト４がリアブラケット３からヨーク３３およびセンタブラケット２を経由してフロントブラケット１に締結されることにより、複数の外壁体は同軸状に結合される。エンジン側のリングギヤ７０が入り込むフロントブラケット１の部分は開口部５として形成される。スタータの内部には、出力軸１０、電磁スイッチ２０、電動機としての直流電動機３０、減速機構４０、オーバランニングクラッチ５０、ピニオンギヤ６０などが配置される。そして、電磁スイッチ２０やオーバランニングクラッチ５０及びピニオンギヤ６０が出力軸１０と同軸状に配置されたことから、実施の形態１のスタータは同軸型スタータと呼ばれる。電磁スイッチ２０はソレノイド部２１と接点部２２および連動機構２３を備える。ヨーク３３が一端閉鎖で他端開放の筒状に形成され、このヨーク３３の一端閉鎖部がリアブラケット３として使用されれば、ヨーク３３とリアブラケット３とが単一体となり、部品点数が削減される。以下の説明において、直流電動機３０側を後側と言い、リングギヤ７０側を前側と言う。
【０００８】
図２および図３にも示すように、接点部２２は外壁体に外壁体の内外に貫通するように設けられる。接点部２２と外壁体との合せ面間はパッキン２５でシールされる。接点部２２では、合成樹脂のような絶縁材により形成された接点室ベース２２５と絶縁材により形成された接点室カバー２２６とが互いに組立てられたことにより、それらの内部には接点室２２７が密封状に形成される。接点部２２は外部接栓２２８を備える。外部接栓２２８は、ボルト２２８１とナット２２８２とを備える。ボルト２２８１は、接点室２２７の外周壁を形成する接点室ベース２２５の部分に回転しないように貫通する。ボルト２２８１と接点室ベース２２５との合せ面間はパッキン２４でシールされる。ボルト２２８１の接点室ベース２２５より外側に突出した先端部にはナット２２８２が締結される。そして、図示しないバッテリの正極に接続されたバッテリハーネス８０に設けられた端子８１がナット２２８２と接点ベース２２５との間に挟み付けられるようにボルト２２８１に嵌め込まれ、ナット２２８２が図示しないスパナのような工具でボルト２２８１に締結され、上記バッテリハーネスが外部接栓２２８に接続される。
【０００９】
実施の形態１では、接点部２２が外壁体であるセンタブラケット２と外壁体であるヨーク３３とに外壁体の内外に貫通するように設けられることから、図３に示すように、ヨーク３３のセンタブラケット２に合せられる端部には凹部３０１が形成される。センタブラケット２のヨーク３３に合せられる端部には凹部２０１が凹部３０１と対応して設けられる。凹部２０１はセンタブラケット２より外側に突出した平面視コ字形の金属からなる支持部２０２により後側開放状に囲まれる。そして、パッキン２５が接点部２２と凹部３０１との間に挟み込まれるように、かつ、接点部２２が凹部２０１と凹部３０１とに収納されるように、センタブラケット２とヨーク３３とが同軸状に互いに合せられてボルト４（図１参照）で締結されることにより、接点部２２の外周面が図２に示すように支持部２０２で抱持される。なお、図３において、接点部２２からの外側への２つの突出部分は外壁体の内部空間に取込まれる後述の電動機側固定接点２２１の両端部である。
【００１０】
図１に戻り、出力軸１０は直流電動機３０よりも前側で電動機軸３１と同一直線上に配置される。出力軸１０の前端部はフロントブラケット１の前端部に軸受６を介して回転可能に支持される。出力軸１０の後端部は減速機構４０のインターナルギヤ４１の中心部に軸受７を介して回転可能に支持される。出力軸１０の後端面には凹部１１が形成される。軸受７よりも後側の出力軸１０にはフランジ１２が外周面より径方向外側に突出する。軸受６と軸受７との間において、出力軸１０の外周面には、後側の螺旋状に凹凸するヘリカルスプライン１３および前側の環状溝１４が形成される。
【００１１】
電磁スイッチ２０は接点部２２の他にソレノイド部２１と連動機構２３とを備える。ソレノイド部２１は、励磁コイル２１１、コイルケース２１２、コア２１３およびプランジャ２１４、プランジャばね２１５、クラッチ押しばね２１６、クラッチ押圧部材２１７、ばね受２１８を備える。筒状に形成された励磁コイル２１１は出力軸１０の周囲に配置された鉄系金属からなる筒状のコア２１３とコア２１３に組付けられた鉄系金属からなる筒状のコイルケース２１２とで囲まれた内部空間に収納される。
【００１２】
筒状のプランジャ２１４はコア２１３とインターナルギヤ４１との間における出力軸１０の周囲に配置される。プランジャばね２１５は、出力軸１０を囲むコイル状であって、コア２１３とプランジャ２１４との間に配置され、コア２１３とプランジャ２１４とにそれらが離れる方向のばね力を与える。そして、コア２１３がパッキン２１９を介してフロントブラケット１で前側に行かないように受止められた状態において、励磁コイル２１１の起磁力により、プランジャ２１４がプランジャばね２１５を圧縮しつつ出力軸１０に沿い前側に移動する。励磁コイル２１１の起磁力が消磁すると、プランジャばね２１５のばね力により、プランジャ２１４が出力軸１０に沿い後側に移動してインターナルギヤ４１に突き当たる。
【００１３】
プランジャ２１４の内部にはクラッチ押しばね２１６が装着される。クラッチ押しばね２１６は、出力軸１０を囲むコイル状であって、出力軸１０を囲む筒状のクラッチ押圧部材２１７と出力軸１０を囲む環状のばね受２１８との間に配置され、クラッチ押圧部材２１７とばね受２１８とにそれらが離れる方向のばね力を与える。クラッチ押圧部材２１７がプランジャ２１４の内部に後側より挿入されると、クラッチ押圧部材２１７の後側外周面より外側に環状に突出した凸部がプランジャ２１４の前側内周面より内側に環状に突出した凸部に突き当たり、クラッチ押圧部材２１７の前側がプランジャ２１４より前側に突出する。ばね受２１８はプランジャ２１４の内部に固定される。プランジャ２１４がインターナルギヤ４１に接触した場合でも、ばね受２１８は軸受７やインターナルギヤ４１と干渉しないようにプランジャ２１４に設けられる。
【００１４】
接点部２２は、前述の接点室ベース２２５や接点室カバー２２６および接点室２２７ならびに外部接栓２２８の他に、電動機側固定接点２２１、バッテリ側固定接点２２３、可動接点２２４を備える。これらの電動機側固定接点２２１とバッテリ側固定接点２２３および可動接点２２４は接点室２２７に配置される。電動機側固定接点２２１は接点室ベース２２５に固定され、電動機側固定接点２２１の接点室カバー２２６より両側（図１の紙面表裏側）に突出した部分にはブラシ３６から延設されたブラシ配線が接続される。電動機側固定接点２２１の接点室２２７に位置する部分には励磁コイル２１１の一端部が接続される。バッテリ側固定接点２２３は、接点室２２７の外周壁を形成する接点室ベース２２５の部分と接点室２２７の前壁を形成する接点室ベース２２５の部分とに沿って配置されるように折り曲げられた形状であって、外部接栓２２８のボルト２２８１に接触する。バッテリ側固定接点２２３と電動機側固定接点２２１とは互いに出力軸１０の半径方向に離隔し接点室ベース２２５に沿い配置される。可動接点２２４は、バッテリ側固定接点２２３と電動機側固定接点２２１とにわたり接続し得る板状であって、連動機構２３を介してプランジャ２１４に連結される。
【００１５】
そして、プランジャ２１４が励磁コイル２１１の起磁力により前側に移動すると、可動接点２２４が連動機構２３により前側に移動して電動機側固定接点２２１とバッテリ側固定接点２２３とに接続する。また、プランジャ２１４がプランジャばね２１５により後側に移動すると、可動接点２２４が連動機構２３により電動機側固定接点２２１とバッテリ側固定接点２２３とから離れる。つまり、プランジャ２１４が前側または後側に移動することにより、可動接点２２４は電動機側固定接点２２１とバッテリ側固定接点２２３と接触または離れ、可動接点２２４が電動機側固定接点２２１とバッテリ側固定接点２２３との間の電気的な経路に対するオン動作またはオフ動作を行う。
【００１６】
連動機構２３は、接点軸２３１、シフトプレート２３２、止輪２３３、前側押しばね２３４、後側押しばね２３５およびばね受２３６；２３７；２３８を備える。接点軸２３１は、接点室ベース２２５とブラシホルダベース３９とセンタプレート４６とパッキン４５およびインターナルギヤ４１を前後方向に移動可能に貫通し、接点室２２７とセンタブラケット２の内部空間とに延設される。実施の形態１では、接点軸２３１はインターナルギヤ４１で前後方向に移動可能に支持される。
【００１７】
シフトプレート２３２は、プランジャ２１４の後側外周部に嵌め込まれ、止輪２３３によりプランジャ２１４に固定される。シフトプレート２３２にはインターナルギヤ４１よりセンタブラケット２の内部空間に突出した接点軸２３１の前側小径軸部２３１１が前後方向に移動可能に貫通する。シフトプレート２３２よりも前側に突出した前側小径軸部２３１１の部分にはばね受２３６が固定される。前側押しばね２３４は、前側小径軸部２３１１を囲むコイル状であって、センタブラケット２の内部空間の前壁を形成するフロントブラケット１の部分とばね受２３６との間に配置される。前側押しばね２３４はばね受２３６を介して接点軸２３１に後側に向くばね力を与える。そして、前側押しばね２３４のばね力により、接点軸２３１の後端部が接点室カバー２２６に突き当たる。接点室２２７に突出した接点軸２３１の後側小径軸部２３１２には、可動接点２２４およびばね受２３７が後側より前後方向に移動可能に嵌め込まれる。ばね受２３７よりも後側の後側小径軸部２３１２にはばね受２３８が固定される。後側押しばね２３５は、後側小径軸部２３１２を囲むコイル状であって、ばね受２３７とばね受２３８との間に配置される。後側押しばね２３５はばね受２３７を介して可動接点２２４に前側に向くばね力を与える。そして、後側押しばね２３５のばね力により、可動接点２２４が接点軸２３１の後側段差部２３１３に突き当たる。
【００１８】
つまり、接点軸２３１が接点室カバー２２６に突き当り、可動接点２２４が後側段差部２３１３に突き当てられた状態において、可動接点２２４は電動機側固定接点２２１とバッテリ側固定接点２２３とから離れてオフ動作している。そして、プランジャ２１４が励磁コイル２１１の起磁力により前側に移動し、クラッチ押圧部材２１７がオーバランニングクラッチ５０を前側に押し、ピニオンギヤ６０の前側端面がリングギヤ７０の後側端面に突き当り、クラッチ押しばね２１６が圧縮される途中において、シフトプレート２３２が接点軸２３１を前側に移動し、可動接点２２４がバッテリ側固定接点２２３と電動機側固定接点２２１とに接触してオン動作する。また、プランジャ２１４がプランジャばね２１５のばね力により後側に移動する途中において、シフトプレート２３２がばね受２３６より後側に離れ、接点軸２３１が前側押しばね２３４のばね力により後側に移動し、可動接点２２４が電動機側固定接点２２１とバッテリ側固定接点２２３とより離れてオフ動作する。
【００１９】
直流電動機３０は、電動機軸３１、電機子３２、ヨーク３３、固定磁極３４、コンミュテータ（整流子）３５、ブラシ３６、ブラシホルダ３７、ブラシばね３８およびブラシホルダベース３９を備える。電機子３２は電動機軸３１の後側に同軸状に固定された電機子鉄心に電機子コイルを巻付けた形態である。電機子コイルはコンミュテータ３５に接続される。直流電動機３０には固定磁極３４の数により、２極機；４極機；６極機などがある。例えば、６極機の直流電動機の場合、固定磁極３４は全部で６個であって、全部の固定磁極３４が鉄により筒状に形成されたヨーク３３の内周面に固定される。ヨーク３３の周方向に隣り合う複数の固定磁極３４において、１つの固定磁極３４のＮ極ともう１つの固定磁極３４のＳ極とが交互に配置される。電動機軸３１の前端部は筒状のコンミュテータ３５の内部を貫通し出力軸１０の凹部１１に軸受８を介して回転自在に嵌め込まれる。コンミュテータ３５の周囲に配置されたブラシホルダ３７にはブラシ３６とブラシばね３８とが格納される。ブラシばね３８はブラシ３６をコンミュテータ３５に押し付ける。ブラシホルダベース３９は、コンミュテータ３５を囲む金属板からなる環状であって、ブラシホルダ３７の前側面に固定されて、ブラシホルダ３７と接点室ベース２２５とを支える。
【００２０】
減速機構４０は、インターナルギヤ４１、太陽歯車４２、複数の遊星歯車４３、遊星歯車軸４４、パッキン４５およびセンタプレート４６を備える。インターナルギヤ４１の外周部がセンタブラケット２の内部に後側より嵌め込まれることにより、インターナルギヤ４１はセンタブラケット２に固定される。太陽歯車４２は電動機軸３１の外周面に電動機軸３１と一体に回転し得るように設けられる。複数の遊星歯車４３は太陽歯車４２とインターナルギヤ４１とに噛み合うように太陽歯車４２とインターナルギヤ４１との間に配置される。これらの遊星歯車４３は出力軸１０のフランジ１２に遊星歯車軸４４で個別に回転可能に支持される。よって、電動機軸３１が回転すると、遊星歯車４３が遊星歯車軸４４の周りに自転しつつ太陽歯車４２の周りを公転し、電動機軸３１の回転数が減速されて遊星歯車軸４４を介して出力軸１０に伝達される。
【００２１】
センタプレート４６は出力軸１０を囲む金属板からなる環状であって、インターナルギヤ４１の後側開口端面にパッキン４５を介して重ね合されて、インターナルギヤ４１の後側開口部を覆う。そして、センタプレート４６の後側にはブラシホルダベース３９が重ね合され、センタプレート４６の外周部とブラシホルダベース３９の外周部とがセンタブラケット２とヨーク３３との合せ面間に装着され、センタプレート４６とブラシホルダベース３９とがセンタブラケット２の内部空間とヨーク３３の内部空間とを隔てる。
【００２２】
オーバランニングクラッチ５０は、クラッチアウタ５１とクラッチインナ５２と複数のクラッチローラ５３とクラッチワッシャ５４とクラッチカバー５５および軸受５６を備えた、一方向クラッチである。クラッチアウタ５１は出力軸１０のヘリカルスプライン１３に噛み合う筒部と、クラッチインナ５２と組立てられる際にくさび型の空間を形成するローラカムとで構成される。クラッチインナ５２はヘリカルスプライン１３よりも前側における出力軸１０に軸受５６を介して回転可能に装着された筒状である。クラッチローラ５３それぞれはクラッチアウタ５１とクラッチインナ５２が組立てられて形成された内部空間に収納される。クラッチワッシャ５４はクラッチローラ５３が収納された内部空間を覆うようにクラッチアウタ５１の前端面とクラッチインナ５２の外周面とにわたって配置される。クラッチカバー５５はクラッチアウタ５１とクラッチワッシャ５４とを抱持する。
【００２３】
ピニオンギヤ６０はクラッチインナ５２の外周面にクラッチインナ５２と一体に回転し得るように設けられる。ピニオンギヤ６０より前側に突出した出力軸１０には環状の前側ばね受６１と環状の後側ばね受６２とが回転可能に装着される。前側ばね受６１の内周部は出力軸１０の環状溝１４に装着された止輪６３により止輪６３よりも前側に移動しないように受止められる。前側ばね受６１と後側ばね受６２との間には出力軸１０を囲むコイル状のピニオンばね６４が配置される。ピニオンばね６４の前端部は前側ばね受６１の外周面に嵌め込まれる。ピニオンばね６４の前端は前側ばね受６１の前端部より外側に突出した環状の凸部に突き当たる。ピニオンばね６４の後端部は後側ばね受６２の外周面に嵌め込まれる。ピニオンばね６４の後端は後側ばね受６２の後端部より外側に突出した環状の凸部に突当る。ピニオンばね６４は後側ばね受６２に主力軸１０の軸方向と平行に後側に移動するばね力を与える。ピニオンばね６４のばね力により、後側ばね受６２がクラッチインナ５２の前端面および軸受５６の前端面に突当ってオーバランニングクラッチ５０およびピニオンギヤ６０を後側に移動する。ピニオンばね６４の内周面と出力軸１０の外周面との間には隙間が形成される。
【００２４】
電動機側固定接点２２１に一端が接続された励磁コイル２１１の中間部には図示しない接点部のイグニションスイッチ側端子が接続される。このイグニションスイッチ側端子を備えた接点部は接点部２２とは別にセンタブラケット２またはヨーク３３に内外に貫通するように絶縁されて設けられる。また、励磁コイル２１１の他端部はコイルケース２１２に接続される。
【００２５】
そして、バッテリの正極がセンタブラケット２またはヨーク３３よりも外側においてイグニションスイッチ側端子に図示しないイグニションスイッチを介して配線されるとともに外部接栓２２８にバッテリハーネス８０が接続された状態において、イグニションスイッチがオン動作すると、プランジャ２１４が励磁コイル２１１の起磁力によりコア２１３の方向（前側）に移動し、クラッチ押圧部材２１７がオーバランニングクラッチ５０を前側に押し出し、オーバランニングクラッチ５０がヘリカルスプライン１３に案内されて一方向に回転しつつ前側に移動し、ピニオンギヤ６０の前側端面がリングギヤ７０の後側端面に接触すると、ピニオンギヤ６０の前側への移動は一旦停止するが、クラッチ押しばね２１６が収縮し、プランジャ２１４は移動を続行する。また、上記励磁コイル２１１の起磁力によるプランジャ２１４の前側への移動により、可動接点２２４が連動機構２３を介して前側に移動し、可動接点２２４が電動機側固定接点２２１とバッテリ側固定接点２２３とに接続し、直流電動機３０が駆動する。
【００２６】
その状態において、直流電動機３０の駆動力が減速機構４０から出力軸１０を経由してオーバランニングクラッチ５０に伝達される。そして、クラッチアウタ５１がヘリカルスプライン１３を介して回転し、クラッチローラ５３がクラッチアウタ５１の回転で連れ回されると、クラッチローラ５３が図示しないばねのばね力によりクラッチアウタ５１の図示しない溝の狭い空間へと移動し、クラッチアウタ５１とクラッチインナ５２とクラッチローラ５３とが係合する。これによって、ピニオンギヤ６０が出力軸１０と連結されて一方向に回転し、ピニオンギヤ６０における歯の山と谷とがリングギヤ７０の歯の山と谷に合うと、それまで収縮していたクラッチ押しばね２１６のばね力により、ピニオンギヤ６０がリングギヤ７０に噛み合ってリングギヤ７０を回転し、エンジンが始動する。
【００２７】
エンジンが始動し、リングギヤ７０の回転が高くなり、ピニオンギヤ６０がリングギヤ７０の回転で連れ回されると、クラッチローラ５３が上記図示しない溝の広い空間へと移動し、クラッチアウタ５１とクラッチインナ５２とクラッチローラ５３との係合が解除される。これによって、ピニオンギヤ６０と出力軸１０との連結が解除される。その状態において、イグニションスイッチがオフ動作し、励磁コイル２１１の起磁力が低下し、プランジャ２１４によるオーバランニングクラッチ５０への押圧力が低下すると、ピニオンギヤ６０がピニオンばね６４のばね力により後側に移動し、ピニオンギヤ６０とリングギヤ７０と噛み合いが解除され、ピニオンギヤ６０がエンジンの回転から切り離される。
【００２８】
実施の形態１の構造では、図２に示すように、外部接栓２２８をセンタブラケット２やヨーク３３などの外壁体に対して絶縁しつつ支持した接点部２２が、センタブラケット２に設けられたコ字形の支持部２０２で抱持されている。つまり、支持部２０２の相対峙する両側壁部２０２１；２０２２が接点部２２の両外側面に接触し、支持部２０２の両側壁部２０２１；２０２２をつなぐ後壁部２０２３が接点部２２の前側面に接触し、これらの両側壁部２０２１；２０２２と後壁部２０２３とが接点部２２を抱持している。よって、バッテリハーネス８０を接点部２２に締結する際、ナット２２８２を締結する図示しないスパナのような締結工具からの締付力が接点部２２に印加されても、支持部２０２が接点部２２を外側より回転しないようにセンタブラケット２の径方向に広い面で支持し、接点部２２がセンタブラケット２の凹部２０１の端面やヨーク３３の凹部３０１の端面からセンタブラケット２の径方向やヨーク３３の径方向に狭い面によるせん断力を受けることがなく、接点部２２が破損されるような不都合は防止できる。
【００２９】
支持部２０２がセンタブラケット２の外側に突出しているので、支持部２０２に相当する支持部がセンタブラケット２の内側に突出された場合に比べ、スタータをコンパクト化できる。それは、支持部をセンタブラケット２の内側に突出すると、接点部２２とブラシホルダベース３９との間に支持部２０２を配置する空間が必要となり、スタータの軸方向長さが大きくなる。これに対し、実施の形態１のように、支持部２０２がセンタブラケット２より外側に突出した場合は、接点部２２とブラシホルダベース３９との間に支持部２０２を配置する空間が不要であり、スタータの軸方向長さは支持部２０２を設けない場合と同じにすることができ、スタータをコンパクト化できる。また、実施の形態１のように、支持部２０２がセンタブラケット２より外側に突出した場合は、支持部２０２の厚さを厚くして支持強度を上げることもできる。
【００３０】
実施の形態２．
図４は本発明の実施の形態２を示す平面図である。図４において、センタブラケット２は前記凹部２０１に相当する凹部２０３と凹部２０３の前縁より板状に外側に突出した前壁部２０４とを備える。前記支持部２０２に相当する平面視コ字形の金属からなる支持部４６１は図１のセンタプレート４６にセンタブラケット２やヨーク３３より外側に突出するように設けられる。支持部４６１の相対峙する両側壁部４６１１；４６１２をつなぐ後壁部４６１３と接点部２２の接点室ベース２２５との間には図１のブラシホルダベース３９より外側に突出した平面視平坦状の金属からなる壁部３９１が配置される。
【００３１】
そして、パッキン２５が接点部２２と凹部３０１との間に挟み込まれ、壁部３９１が接点部２２と支持部４６１との間に挟み込まれ、支持部４６１が接点部２２と凹部２０３との間に挟み込まれ、かつ、接点部２２および支持部４６１が凹部２０３と凹部３０１とに収納されるように、センタブラケット２とヨーク３３とが同軸状に互いに合せられて図１のボルト４で締結されることにより、接点部２２の外周面が支持部４６１で抱持される。また、支持部４６１の後壁部４６１３には前壁部２０４が接触する。
【００３２】
実施の形態２の構造によれば、接点部２２がセンタプレート４６に設けられた支持部４６１で回転しないように支持されている。つまり、支持部４６１の両側壁部４６１１；４６１２が接点部２２の両外側面に接触し、支持部４６１の後壁部４６１３が接点部２２の前側面に接触し、これらの両側壁部４６１１；４６１２と後壁部４６１３とが接点部２２を抱持している。よって、図１のバッテリハーネス８０が外部接栓２２８に接続される際、ナット２２８２を締結する図示しないスパナのような工具による締付力が接点部２２に印加されても、支持部４６１が接点部２２を外側より回転しないように支持し、接点部２２が破損されるような不都合は防止できる。また、支持部４６１の後壁部４６１３がセンタブラケット２の前壁部２０４とブラシホルダベース３９の壁部３９１とで挟み付けられているので、支持部４６１だけて接点部２２の回転を阻止する場合に比べて、支持部４６１の接点部２２への回転阻止力が高くなる。
【００３３】
支持部４６１がセンタブラケット２やヨーク３３より外側に突出しているので、支持部４６１が接点部２２の周方向両側側に突出した電動機側固定接点２２１の両端部を避ける必要がないので、支持部４６１が外壁体の径方向にくびれる部分もなく幅広に形成でき、接点部２２に対する支持部４６１の支持強度を確保することができる。
【００３４】
実施の形態３．
図５は本発明の実施の形態３を示す平面図である。図５において、前記支持部４６１に相当する支持部３９２が図１のブラシホルダベース３９に設けられ、前記壁部３９１に相当する壁部４６２が図１のセンタプレート４６にセンタブラケット２やヨーク３３より外側に突出するように設けられる。そして、パッキン２５が凹部３０１と接点部２２との間に挟み込まれ、接点部２２と支持部３９２とが互いに嵌め合され、壁部４６２が支持部３９２と前壁側２０４との間に挟み込まれ、かつ、接点部２２および支持部３９２が凹部２０３と凹部３０１とに収納されるように、センタブラケット２とヨーク３３とが同軸状に互いに合せられて図１のボルト４で締結されることにより、接点部２２の外周面が支持部３６１で抱持される。また、支持部３９２の両側壁部３９２１；３９２２をつなぐ後壁部３９２３には壁部４６２が接触し、壁部４６２には前壁部２０４が接触する。
【００３５】
実施の形態３の構造によれば、支持部３９２の両側壁部３９２１；３９２２が接点部２２の両外側面に接触し、支持部３９２の後壁部３９２３が接点部２２の前側面に接触し、これらの両側壁部３９２１；３９２２と後壁部３９２３とが接点部２２を抱持している。よって、図１のバッテリハーネス８０が外部接栓２２８に接続される際、ナット２２８２を締結する図示しないスパナのような工具による締付力が接点部２２に印加されても、支持部３９２が接点部２２を外側より回転しないように支持し、接点部２２が破損されるような不都合は防止できる。また、支持部３９２の後壁部３９２３がセンタブラケット２の前壁部２０４とセンタプレート４６の壁部４６２とで支えられているので、支持部３９２だけて接点部２２の回転を阻止する場合に比べて、支持部３９２の接点部２２への回転阻止力が高くなる。
【００３６】
支持部３９２がセンタブラケット２やヨーク３３より外側に突出しているので、支持部３９２が接点部２２の周方向両側側に突出した電動機側固定接点２２１の両端部を避ける必要がないので、支持部３９２が外壁体の径方向にくびれる部分もなく幅広に形成でき、接点部２２に対する支持部３９２の支持強度を確保することができる。
【００３７】
実施の形態４．
図６は本発明の実施の形態４を示す平面図である。図６において、接点部２２がセンタブラケット２の支持部２０２とセンタプレート４６（図１参照）の支持部４６１とからなる２重壁構造により回転しないように支持されたことにより、支持部２０２；４６１の接点部２２への回転阻止力がより高くなる。
【００３８】
実施の形態５．
図７は本発明の実施の形態５を示す平面図である。図７において、接点部２２がセンタブラケット２の支持部２０２とブラシホルダベース３９（図１参照）の支持部３９２とからなる２重壁構造により回転しないように支持されたことにより、支持部３９２；４６１の接点部２２への回転阻止力がより高くなる。
【００３９】
実施の形態６．
図８および図９は本発明の実施の形態６を示し、図８は接点室カバーの一部とセンタプレートの一部との斜視図、図９は接点部周りの平面図である。図８において、接点室カバー２２６は、相対峙する両側壁部２２６１；２２６２の図１のヨーク３３より外側に突出した部分それぞれの外側面に受止部２２６３；２２６４と突起部２２６５；２２６６とを備える。受止部２２６３は上下に相対峙する溝部２２６３１；２２６３２により形成され、受止部２２６４は上下に相対峙する溝部２２６４１；２２６４２により形成される。各溝部２２６３１；２２６３２；２２６４１；２２６４２は前側で行止まりになった袋小路に形成される。突起部２２６５；２２６６のそれぞれは上下に相対峙する溝部２２６３１；２２６３２の間に配置される。各突起部２２６５；２２６６は、後側から前側に行くに従って両側壁部２２６１；２２６２からの突出寸法が大きくなる斜面部２２６５１；２２６６１と、両側壁部２２６１；２２６２からほぼ直角に突出した前面部２２６５２；２２６６２とを備える。センタプレート４６の支持部４６１における両側壁部４６１１；４６１２の先端部には係合孔部４６１１１；４６１２１が個別に形成される。符号４６３は図１の接点軸２３１を挿入するための貫通孔である。
【００４０】
そして、支持部４６１における側壁部４６１１が接点室カバー２２６における受止部２２６３の上下の溝部２２６３１；２２６３２に挿入され、支持部４６１における側壁部４６１２が接点室カバー２２６における受止部２２６４の上下の溝部２２６４１；２２６４２に挿入されることにより、図９に示すように、突起部２２６５と係合孔部４６１１１とが嵌め合され、突起部２２６６と係合孔部４６１２１とが嵌め合される。
【００４１】
図９において、ナット２２８２を締結する図示しないスパナのような工具による締付力Ｘが接点部２２に印加されても、両側壁部４６１１；４６１２が受止部２２６３；２２６４で外側に広がらないように支持されているので、支持部４６１が接点部２２を外側より回転しないように支持し、接点部２２が破損されるような不都合は防止できる。また、受止部２２６３；２２６４が袋小路に形成されているので、上記締結力Ｘにより突起部２２６５が側壁部４６１１を前側に押しても、受止部２２６３が側壁部４６１１の前側への移動を阻止する。締結力Ｘが矢印とは逆方向の場合は、係る逆方向の締結力により突起部２２６６が側壁部４６２１を前側に押しても、受止部２２６４が側壁部４６１２の前側への移動を阻止する。よって、受止部２２６３；２２６４が袋小路に形成されれば、側壁部４６１１；４６１２に対する受止部２２６３；２２６４の押え性が増加する。
【００４２】
実施の形態７．
図１０は本発明の実施の形態７を示す平面図である。図１０において、前記係合部４６１１１；４６１２１に相当する係合部３９２１１；３９２２１がブラシホルダベース３９の支持部３９２における両側壁部３９２１；３９２２の先端部に個別に形成され、ナット２２８２を締結する図示しないスパナのような工具による締付力Ｘが接点部２２に印加されても、両側壁部３９２１；３９２２が受止部２２６３；２２６４で外側に広がらないように支持され、支持部３９２が接点部２２を外側より回転しないように支持し、接点部２２が破損されるような不都合は防止できる。また、上記締結力Ｘにより突起部２２６５が側壁部４６１１を前側に押しても、袋小路に形成された受止部２２６３が側壁部３９２１の前側への移動を阻止する。締結力Ｘが逆方向の場合は、係る逆方向の締結力により突起部２２６６が側壁部３９２２を前側に押しても、袋小路に形成された受止部２２６４が側壁部３９２２の前側への移動を阻止する。よって、側壁部３９２１；３９２２に対する受止部２２６３；２２６４の押え性が増加する。
【００４３】
実施の形態８．
図１１は本発明の実施の形態８を示す右側面図である。図１１において、ヨーク３３が周方向に相対峙する支持部３３１；３３２を備える。支持部３３１；３３２は凹部３０１（図３参照）の周方向両側縁部より外側に折曲形成された形態である。そして、接点部２２がヨーク３３とセンタブラケット２（図３参照）とで挟み付けられる際、支持部３３１；３３２がパッキン２５を介して接点部２２を周方向両側より抱持することにより、支持部３３１；３３２が接点部２２を外側より回転しないように支持し、接点部２２が破損されるような不都合は防止できる。符号２５１；２５２はパッキン２５の後側部に設けられた延設部である。
【００４４】
実施の形態８では支持部３３１；３３２がヨーク３３より外側に突出したが、ヨーク３３より内側に突出するように設けても良い。つまり、ヨーク３３の接点部１１とブラシ３６との周方向間には隙間が存在しているのが普通であるので、係る隙間を利用して支持部３３１；３３２をヨークより内側に突出すれば、ヨーク３３を直径を大きくする必要もなく、支持部３３１；３３２とブラシホルダベース３９との間の寸法を大きくする必要もないでの、実施の形態１〜７と同様にスタータをコンパクト化できる。
【００４５】
なお、図２〜図１１では図１のバッテリハーネス８０と端子８１との図示が省略されている。
【００４６】
各実施の形態では励磁コイル２１１における一端部側の接点部２２の外壁体との支持構造を図示したが、励磁コイル２１１の図示しないイグニションスイッチ側端子を有する接点部の外壁体との支持構造にも適用できる。
【００４７】
【発明の効果】
以上のように、本発明において、接点部がボルトとナットとを備え、バッテリハーネスに設けられた端子がナットでボルトとの間に挟み付けられるように、ナットがボルトに締結され、接点部を回転しないように支持する支持部が、外壁体に外壁体より外側に突出するように設けられるか、または、外壁体の内部空間に収納されたセンタプレートに外壁体より外側に突出するように設けられるか、または、外壁体の内部空間に収納されたブラシホルダベースに外壁体より外側に突出するように設けられれば、バッテリハーネスの端子を接点部に締結する際、締結力が接点部に印加されても、支持部が接点部を外壁体の径方向に広い面で支持し、接点部が外壁体の接点部との合せ端面から外壁体の径方向に狭い面によるせん断力を受けることはなく、接点部が破損されるような不都合は防止できる。また、本発明において、支持部が外壁体の内部空間に収納されたセンタプレートに設けられた支持部と外壁体に設けられた支持部との２重壁構造、または、支持部が外壁体の内部空間に収納されたブラシホルダベースに設けられた支持部と外壁体に設けられた支持部との２重壁構造に形成されれば、支持部の接点部への回転阻止力がより高くなる。また、本発明では、支持部が接点部に係合されれば、支持部が外側に広がらないように支持することができる。
【図面の簡単な説明】
【図１】  本発明の実施の形態１に係るスタータを示す軸方向断面図。
【図２】  同実施の形態１に係る接点部周りを示す平面図。
【図３】  同実施の形態１に係る接点部周りを示す分解平面図。
【図４】  本発明の実施の形態２に係る接点部周りを示す平面図。
【図５】  本発明の実施の形態３に係る接点部周りを示す平面図。
【図６】  本発明の実施の形態４に係る接点部周りを示す平面図。
【図７】  本発明の実施の形態５に係る接点部周りを示す平面図。
【図８】  本発明の実施の形態６に係る接点室カバーの一部とブラシホルダの一部とを分解して示す斜視図。
【図９】  同実施の形態６に係る接点部周りを示す一部破断平面図。
【図１０】  本発明の実施の形態７に係る接点部周りを示す一部破断平面図。
【図１１】  本発明の実施の形態８に係る接点部周りを示す左側面図。
【図１２】  従来のスタータの接点部周りを示す断面図。
【符号の説明】
１  フロントブラケット（外壁体）、２  センタブラケット（外壁体）、
３  リアブラケット（外壁体）、３３  ヨーク（外壁体）、２２  接点部、
２２５  接点ベース、２２６  接点室カバー、２２８  外部接栓、
２０２；３３１；３３２；３９２；４６１  支持部、
２２６３；２２６４  受止部、２２６５；２２６６  突起部、
３９２１１；３９２２１；４６１１１；４６１２１  係合孔部。
【図１】
0003756361.tif 000002
【図２】
0003756361.tif 000003
【図３】
0003756361.tif 000004
【図４】
0003756361.tif 000005
【図５】
0003756361.tif 000006
【図６】
0003756361.tif 000007
【図７】
0003756361.tif 000008
【図８】
0003756361.tif 000009
【図９】
0003756361.tif 000010
【図１０】
0003756361.tif 000011
【図１１】
0003756361.tif 000012
【図１２】
0003756361.tif 000013